(57)【要約】【課題】水田を一時的に雨水を貯蔵してダム化し、河川に流れ込む雨水を抑制し、下流域の急激な水位上昇を抑えることができる水田用水位設定装置を提供すること。【解決手段】水田用水位設定装置であって、水田排水部に連結する取付管に本体筒部を連結する構成とし、本体筒部２を取付管６に対して昇降自在若しくは本体筒部２を前記取付管６に対して昇降自在となる可動管９を有する構成とし、本体筒部２の上部に限界排水口部７を設け、限界排水口部７より下方の周面に限界排水口部７より小さい周面排水口部８を設け、この周面排水口部若しくは限界排水口部を上部排水口部として設けて、雨水を周面排水口部８より排水して水位Ｓを保持し、雨水の増水量が周面排水口部８からの排水量を超えると水位Ｓが上昇して、限界排水口部７に達するまでの増水量が水田１に貯水されるように構成した水田用水位設定装置。【選択図】図４
2010022324.tif 000002
【特許請求の範囲】
【請求項１】
水田に排水筒として立設して、水田の水が上部排水口部から導入し下部排水口部からこれに連通する水田の水田排水部へと排水し、前記上部排水口部の高さ設定により水田の水位を設定する水田用水位設定装置であって、前記水田排水部に連結する取付管に本体筒部を連結する構成とし、この本体筒部を取付管に対して昇降自在若しくは本体筒部を前記取付管に対して昇降自在となる可動管を有する構成とし、この本体筒部の上部に限界排水口部を設け、前記限界排水口部より下方の周面に前記限界排水口部より小さい周面排水口部を設け、この周面排水口部若しくは前記限界排水口部を前記上部排水口部として設けて、雨水で増水する水田の水を前記周面排水口部より排水して水田の水位を保持し、この雨水による水田の増水量が前記周面排水口部からの排水量を超えると水田の水位が上昇して、前記限界排水口部より排水される水位に達するまでの増水量が水田に貯水されるように構成したことを特徴とする水田用水位設定装置。
【請求項２】
前記周面排水口部の大きさは、降水量が少なく水田排水部から排水して河川へと流れ込む水田排水量が許容される量となる大きさであって、降水量が多くなって前記許容される水田排水量を超えた時水田が増水して貯水される大きさに設定したことを特徴とする請求項１記載の水田用水位設定装置。
【請求項３】
前記限界排水口部の下方にこの限界排水口部と離反させて前記周面排水口部を設け、この限界排水口部と周面排水口部との高さの差に比例した水量が水田に貯水されるように構成したことを特徴とする請求項１，２のいずれか１項に記載の水田用水位設定装置。
【請求項４】
前記取付管に対して前記本体筒部を昇降させて若しくは本体筒部に設けた可動管を昇降させて前記限界排水口部の高さを調整設定することによって、前記水田の限界貯水量を調整設定自在に設けたことを特徴とする請求項１〜３のいずれか１項に記載の水田用水位設定装置。
【請求項５】
前記限界排水口部は、前記本体筒部の上端開口部としたことを特徴とする請求項１〜４のいずれか１項に記載の水田用水位設定装置。
【請求項６】
前記本体筒部は、前記水田排水部に連結する前記取付管に連結する下部管に、前記可動管として上部管を昇降自在に設けた構成とし、この上部管に前記限界排水口部と前記周面排水口部とを設け、この下部管に対して上部管を昇降して前記限界排水口部の高さを調整自在に構成したことを特徴とする請求項１〜５のいずれか１項に記載の水田用水位設定装置。
【請求項７】
前記本体筒部を前記取付管に昇降自在に嵌合し、若しくは前記本体筒部の下部管に嵌合する前記可動管として設けた上部管を昇降して、前記周面排水口部を前記限界排水口部と共に高さ調整設定すると共に、前記周面排水口部を前記取付管若しくは前記下部管により開閉自在に設けたことを特徴とする請求項１〜６のいずれか１項に記載の水田用水位設定装置。
【発明の詳細な説明】
【技術分野】
【０００１】
本発明は、水田の水位を設定するための水田用水位設定装置に関するものである。
【背景技術】
【０００２】
近年、気象状況の変化により、激しい降雨が継続し、度々河川が増水して洪水が発生している。ところが、古来、雨水を吸収していた森林は減少し、且つ、雨水を吸収しない宅地や道路は年々増加していることから、ますます洪水が発生する頻度が多くなっている。
【０００３】
そこで、水田を一時的に雨水を貯蔵しダム化することで、河川に流れ込む雨水を抑制し、下流域の急激な水位上昇を抑えることができる。
【０００４】
従来から、水田の稲作栽培管理に適した水田の水位を一定に保持する水田用排水装置があり、この水田用排水装置は、水田に設けられた水田の水を排水路へ排水する排水口に取り付けた取付管に設置して使用するもので、上部に上端開口部を有する排水筒を上下動自在に前記取付管に取り付け、この排水筒の上端開口部を水田の適正水位に設定することで、この排水筒に達した水は上端開口部から排水され、水田の適正水位を保持するものである。
【０００５】
この排水筒を高く設け、激しい降雨の際にこの排水筒の上部開口部を高く設定すると水田に雨水を貯水させることができる。
【０００６】
この排水筒を、適正水位位置より上方に設定すると雨水は排水筒の上端開口部位置まで水田に貯水され、水田をダム化することで河川に流れ込む排水量を抑制し河川が増水することを防止することができる。
【０００７】
しかしながら、この従来品の水田用排水装置は、通常使用時から予め設定しておくことはできず、河川の決壊の恐れが生じた時に排水筒の高さを高く設定をしなければならない。また、河川の決壊の恐れがないような小雨の時でも降った雨は貯水されて水位は上昇し続ける構成である。即ち、従来の単なる排水筒を高く設定させるだけのダム化構造は、雨が降り出すと貯水するだけの構成であり、従って、小雨でも雨が降った分だけ貯水し、また、断続的な雨であっても単に貯水し続け、別に排水しない限り、降った分だけ貯水し、水田の貯水能力は降った分だけ低下する一方となる構成である。そのため、小雨の後に大雨となり、まさにこの大雨を貯水する必要があるという時には、既に貯水能力がなくなっていることが容易に起こり得る構成である。
【０００８】
更に、例え雨が止んでも水位はそのままでは下がらず、手動で上部開口部を下げなければ水田の貯水能力を回復させることはできないという問題点もあった。
【発明の開示】
【発明が解決しようとする課題】
【０００９】
本発明は、上述のような問題点に鑑み、これを簡易な構成で解決したもので、大雨時に水田をダム化して多量の水が一気に河川に流れ込むことを防ぎ、河川が決壊することを防止して水害の発生を防ぐことができる装置であって、単に雨を貯水する一方ではなく、常時少量の雨水を排水するから、小雨が降っても適宜な水位に保持でき、また、小雨が降ってもこれを排水して、常に十分な貯水能力が確保され、この排水を超える大雨の時には貯水を行なってダム化機能を発揮し、雨が止んだりまた雨が弱まった時には、この排水によって水位が低下して貯水能力が時間と共に自動回復し、水田のダム化の必要が生じる時には、即ち、河川の決壊の危険が生じるような大雨時にはダム化機能が働きだし、十分な貯水能力を温存しておいた水田に雨水を貯水することができ、しかも河川へ流れ込む排水量が一定排水量以上にならないように制御することにより河川の決壊を防止でき、更に、例え大雨が続いても途中で断続的に降雨量が減少して小雨になれば、その小雨時を利用して水田の貯水能力を回復でき、また、尚大雨が続き水田の水位が限界水位に達し場合には排水されて畔と水田を確実に守り、更に、雨が止めば水位は再び自動的に適宜位置に戻り、稲への負担も極めて軽いものとなる画期的且つ極めて秀れた水田用水位設定装置を提供することを目的とする。
【課題を解決するための手段】
【００１０】
添付図面を参照して本発明の要旨を説明する。
【００１１】
水田１に排水筒として立設して、水田１の水が上部排水口部３から導入し下部排水口部４からこれに連通する水田１の水田排水部５へと排水し、前記上部排水口部３の高さ設定により水田１の水位Ｓを設定する水田用水位設定装置であって、前記水田排水部５に連結する取付管６に本体筒部２を連結する構成とし、この本体筒部２を取付管６に対して昇降自在若しくは本体筒部２を前記取付管６に対して昇降自在となる可動管９を有する構成とし、この本体筒部２の上部に限界排水口部７を設け、前記限界排水口部７より下方の周面に前記限界排水口部７より小さい周面排水口部８を設け、この周面排水口部８若しくは前記限界排水口部７を前記上部排水口部３として設けて、雨水で増水する水田１の水を前記周面排水口部８より排水して水田１の水位Ｓを保持し、この雨水による水田１の増水量が前記周面排水口部８からの排水量を超えると水田１の水位Ｓが上昇して、前記限界排水口部７より排水される水位Ｓ１に達するまでの増水量が水田１に貯水されるように構成したことを特徴とする水田用水位設定装置に係るものである。
【００１２】
また、前記周面排水口部８の大きさは、降水量が少なく水田排水部５から排水して河川へと流れ込む水田排水量が許容される量となる大きさであって、降水量が多くなって前記許容される水田排水量を超えた時水田１が増水して貯水される大きさに設定したことを特徴とする請求項１記載の水田用水位設定装置に係るものである。
【００１３】
また、前記限界排水口部７の下方にこの限界排水口部７と離反させて前記周面排水口部８を設け、この限界排水口部７と周面排水口部８との高さの差に比例した水量が水田１に貯水されるように構成したことを特徴とする請求項１，２のいずれか１項に記載の水田用水位設定装置に係るものである。
【００１４】
また、前記取付管６に対して前記本体筒部２を昇降させて若しくは本体筒部２に設けた可動管９を昇降させて前記限界排水口部７の高さを調整設定することによって、前記水田１の限界貯水量を調整設定自在に設けたことを特徴とする請求項１〜３のいずれか１項に記載の水田用水位設定装置に係るものである。
【００１５】
また、前記限界排水口部７は、前記本体筒部２の上端開口部７としたことを特徴とする請求項１〜４のいずれか１項に記載の水田用水位設定装置に係るものである。
【００１６】
また、前記本体筒部２は、前記水田排水部５に連結する前記取付管６に連結する下部管10に、前記可動管９として上部管９を昇降自在に設けた構成とし、この上部管９に前記限界排水口部７と前記周面排水口部８とを設け、この下部管10に対して上部管９を昇降して前記限界排水口部７の高さを調整自在に構成したことを特徴とする請求項１〜５のいずれか１項に記載の水田用水位設定装置に係るものである。
【００１７】
また、前記本体筒部２を前記取付管６に昇降自在に嵌合し、若しくは前記本体筒部２の下部管10に嵌合する前記可動管９として設けた上部管９を昇降して、前記周面排水口部８を前記限界排水口部７と共に高さ調整設定すると共に、前記周面排水口部８を前記取付管６若しくは前記下部管10により開閉自在に設けたことを特徴とする請求項１〜６のいずれか１項に記載の水田用水位設定装置に係るものである。
【発明の効果】
【００１８】
本発明は上述のように構成したから、大雨時に水田をダム化して多量の水が一気に河川に流れ込むことを防ぎ、河川が決壊することを防止して水害の発生を防ぐことができる装置であって、単に雨を貯水する一方ではなく、常時少量の雨水を排水するから、小雨が降っても適宜な水位に保持でき、また、小雨が降ってもこれを排水して、常に十分な貯水能力が確保され、この排水を超える大雨の時には貯水を行なってダム化機能を発揮し、雨が止んだりまた雨が弱まった時には、この排水によって水位が低下して貯水能力が時間と共に自動回復し、水田のダム化の必要が生じる時には、即ち、河川の決壊の危険が生じるような大雨時にはダム化機能が働きだし、十分な貯水能力を温存しておいた水田に雨水を貯水することができ、しかも河川へ流れ込む排水量が一定排水量以上にならないように制御することにより河川の決壊を防止でき、更に、例え大雨が続いても途中で断続的に降雨量が減少して小雨になれば、その小雨時を利用して水田の貯水能力を回復でき、また、尚大雨が続き水田の水位が限界水位に達し場合には排水されて畔と水田を確実に守り、更に、雨が止めば水位は再び自動的に適宜位置に戻り、稲への負担も極めて軽いものとなる画期的且つ極めて秀れた水田用水位設定装置を提供できることとなる。
【００１９】
また、請求項２記載の発明においては、大雨時に周面排水口部から排水可能な最大量の雨水が排水されたとしても河川が決壊することがなく、水害の発生の恐れがない範囲内で、上述した水田の貯水能力の保持及び回復機能が良好に発揮されることとなる極めて画期的な水田用水位設定装置となる。
【００２０】
また、請求項３記載の発明においては、許容範囲内で限界排水口部と周面排水口部との高さの差を大きくすることにより、一層高い貯水能力を提供できる極めて実用性に秀れた水田用水位設定装置となる。
【００２１】
また、請求項４記載の発明においては、取付管に対して前記本体筒部を昇降させて若しくは本体筒部に設けた可動管を昇降させることで容易に水田の限界貯水量を調整することができる極めて秀れた水田用水位設定装置となる。
【００２２】
また、請求項５記載の発明においては、簡単な構造で限界排水口部を設けることができることとなる。
【００２３】
また、請求項６記載の発明においては、簡単な構成で本発明を実現でき、簡単な操作で水位設定を行える極めて実用性に秀れた水田用水位設定装置となる。
【００２４】
また、請求項７記載の発明においては、前記周面排水口部を取付管若しくは前記下部管により閉塞自在に構成したから、周面排水口部を閉塞するとその上方の限界排水口部が排水口となる為、この限界排水口部の高さ調整により水田の適正水位を調整できこれにより広範囲な水位設定ができることになる実用性に秀れた水田用水位設定装置となる。
【発明を実施するための最良の形態】
【００２５】
好適と考える本発明の実施形態（発明をどのように実施するか）を、図面に基づいて本発明の作用を示して簡単に説明する。
【００２６】
水田１に降った雨水は周面排水口部８から導入し下部排水口部４からこれに連通する水田１の水田排水部５を通過して河川に流れ込むこととなり、従って、雨水は前記周面排水口部８より排水されて雨は降っても増水せず水田１の水位Ｓは保持される（図３，図４参照）こととなる。
【００２７】
即ち、河川の決壊の心配がない小雨時には、絶えず周面排水口部８から排水されて水田１は無駄に貯水されず、水田１の貯水能力は低下することなく貯水能力は最大に保持されると共に、小雨時でもその時期の適正水位を保てる為稲にとっても負担が軽いこととなる。
【００２８】
しかしながら、水田１のダム化の必要が生じるような大雨の時、即ち、河川の決壊の危険が生じるような大雨の時には、即ち、降雨量が周面排水口部８から排水可能な量を超えるとダム化機能が働き始め、排水量を超えた降雨量が水田１に貯水され水位Ｓが上昇することとなる。
【００２９】
従って、小雨時にはダム化機能が働かずに十分な貯水能力を温存し、大雨になった時に水田１に雨水を貯水できることとなる。
【００３０】
即ち、本発明の水田用水位設定装置は、河川の決壊の恐れがあるような大雨の時に初めてダム化機能が働き始めることとなる、極めて秀れたダム化システムとなる。
【００３１】
更に、このような大雨時においても、従来例の様に水田１に降った雨はそのまま貯水される訳ではなく、雨水は周面排水口部８から絶えず排水されつつ貯水されていくから降水量と排水量との差だけ貯水されることとなるため、大雨の途中で雨脚が弱まり、降水量が周面排水口部８から排水可能な雨水量と等しくなれば、水位Ｓは変化せずに貯水能力を維持できることとなり（図５参照）、更に、雨脚が弱まれば降水量が周面排水口部８から排水可能な雨水量より減少することとなり、水位Ｓは自動で低下して、この水位Ｓが低下した分だけ水田１の貯水能力は自動で回復することとなる。
【００３２】
即ち、大雨時においても、途中で断続的に小雨になったり止んだりすると貯水能力は自動的に回復することとなり、何回でも貯水可能な状態となる。よって、一度限界貯水量まで貯水してしまうと貯水効果は限界に達して貯水能力が回復できない従来品に比して、貯水能力の回復が自動的に繰り返し行なわれることで水田１に貯水される総貯水量は何倍にもなることとなり、更に、河川が決壊する恐れのある流域より上流域一帯の水田１で一斉に本発明を用いてダム化を行えばその効果は計り知れないものとなる。
【００３３】
また、河川に流れる排水量は、最大でも、限界排水口部７より小さい周面排水口部８から排水可能な排水量しか排水されないこととなり、よって、排水量を制限できることとなり、大量の水が一気に排出されることを防ぎ河川の増水を防ぐことが可能となる。
【００３４】
また、本発明の水田用水位設定装置は上述のように極めて限界水位Ｓ１に達しづらい構成であるものの、尚大雨が降り続き水位Ｓが畔11に近づいた場合、即ち、畔11が破壊され水田１にこれ以上水を貯められないような危機的な状況が迫った場合には、畔11より低く設定した周面排水口部８より径大な限界排水口部７から、排水される限界水位Ｓ１を超えて増水した雨水が、一気に排水され河川に流れ込むこととなり、それ以上の増水を防止し、確実に畔11を守り、水田１を優先的に守ることができる（図６，図７参照）。従って、水田１が壊れるというリスクを十分回避しながら、地域に大きな貢献ができる水田用水位設定装置となる。
【００３５】
また、雨が止めば、従来品のようにわざわざ排水筒を下ろす作業を行わなくとも、貯水された雨水は自動で周面排水口部８から排水され、水位Ｓは設定水位の周面排水口部８まで自動で低下し保持される（図４，図５参照）こととなり、稲や畔11への負担を最小限に抑えることができ、よって、稲や畔11に掛る負担も従来例より軽いこととなる。
【００３６】
従って、本発明は、大雨時に水田１をダム化して多量の水が一気に河川に流れ込むことを防ぎ、河川が決壊することを防止して水害の発生を防ぐことができる装置であって、単に雨を貯水する一方ではなく、常時少量の雨水を排水するから、小雨が降っても適宜な水位Ｓに保持でき、また、小雨が降ってもこれを排水して、貯水能力を回復し、この排水を超える大雨の時に貯水を行なって、ダム化機能を発揮し、雨が止んだりまた雨が弱まった時には、この排水によって貯水能力が時間と共に回復し、水位Ｓが低下して貯水可能な状態となり、水田１のダム化の必要が生じる時には、即ち、河川の決壊の危険が生じるような大雨時にはダム化機能が働きだし、十分な貯水能力を温存しておいた水田１に雨水を貯水することができ、河川へ流れ込む排水量が一定排水量以上にならないように制御することにより河川の決壊を防止でき、しかも大雨時においても貯水能力は限界に達しづらく、更に、例え大雨が続いても途中で断続的に降雨量が減少して小雨になれば、その小雨時を利用して水田１の貯水能力を回復でき、それでも尚大雨が続き水田１の水位Ｓが限界水位Ｓ１に達し場合には畔11と水田１を確実に守り、更に、雨が止めば水位Ｓは自然に適宜位置に戻り、稲への負担も極めて軽いものとなる画期的且つ極めて秀れた水田用水位設定装置となる。
【実施例１】
【００３７】
本発明の具体的な実施例１について図面に基づいて説明する。
【００３８】
本実施例の水田用水位設定装置は水田１に排水筒として立設して、水田１の水が上部排水口部３から導入し下部排水口部４からこれに連通する水田１の水田排水部５へと排水し、前記上部排水口部３の高さ設定により水田１の水位Ｓを設定する水田用水位設定装置であって、前記水田排水部５に連結する取付管６に本体筒部２を連結する構成とする。
【００３９】
具体的には、水田排水部５は、水田１と水田１外部に設けられた側溝などの排水路17とを連通する連通孔部であり、この水田排水部５の水田１側に取付管６を埋設状態に連結し、この取付管６より排水路17側に排水パイプ18を埋設状態に設けられていて、この取付管６に本体筒部２を昇降自在に立設する構成とする。
【００４０】
また、この本体筒部２は、水田１の畔11寄りにコ字状に形成された保護枠16を設け、この保護枠16に下方に排水パイプ18を連設した取付管６を、水田１の田面より３〜５ｃｍ低くなるよう埋設し、この取付管６に昇降自在に立設するよう設けられている（図３参照）。
【００４１】
また、前記排水パイプ18は、河川に排水される排水路17に連通するよう設けられている。
【００４２】
雨や給水により、水田１の水が上部排水口部３を上回ると、水田１の水が上部排水口部３から本体筒部２内へ導入されて、本体筒部２を通り下部排水口部４へ排出される。下部排水口部４から排水された水は下部排水口部４に連通させた水田排水部５へと排水され、排水パイプ18を通り、排水路17を通り、河川へと排水される。
【００４３】
本体筒部２は、本体筒部２を取付管６に対して昇降自在若しくは本体筒部２を前記取付管６に対して昇降自在となる可動管９を有する構成とする。
【００４４】
具体的に本実施例では、前記本体筒部２は、前記水田排水部５に連結する前記取付管６に連結する下部管10に、前記可動管９として上部管９を昇降自在に設けた構成とする。
【００４５】
即ち、本体筒部２は、上部管９と下部管10からなる構成である（図１，図２，図３参照）。
【００４６】
これにより、上部管９の高さ調整が容易にできることとなる。
【００４７】
また、上部管９は下部管10の内側を昇降するよう構成する。
【００４８】
これにより、下部管10と上部管９の間に水田１の土が入ることなく上部管９の昇降が容易にできることとなる。
【００４９】
本体筒部２の上部に限界排水部７を設け、前記限界排水部７より下方の周面に前記上部開口部７より小さい周面排水口部８を設け、この周面排水口部８若しくは前記限界排水部７を前記上部排水口部３として設けて、雨水で増水する水田１の水を前記周面排水口部８より排水して水田１の水位Ｓを保持し、この雨水による水田１の増水量が前記周面排水口部８からの排水量を超えると水田１の水位Ｓが上昇して、前記上部開口部７より排水される限界水位Ｓ１に達するまでの増水量が水田１に貯水されるように構成する。
【００５０】
本実施例は具体的には、前記可動管９に前記上部開口部７と前記周面排水口部８とを設けることとする。
【００５１】
また、限界排水部７と周面排水口部８との位置関係をより具体的に説明すると、限界排水部７の下方にこの限界排水部７と離反させて前記周面排水口部８を設け、この限界排水部７と周面排水口部８との高さの差に比例した水量が水田１に貯水される構成とする。
【００５２】
具体的には、限界排水部７と周面排水口部８の下部との高さの差を畔11の高さより低く設定した。
【００５３】
また、前記限界排水部７は、前記本体筒部２の上部開口部７とする。
【００５４】
よって、この可動管９を昇降させて前記上部開口部７の高さを調整設定することによって、前記水田１の限界貯水量を調整設定自在とする。
【００５５】
また、前記本体筒部２の下部管10に嵌合する前記可動管９として設けた上部管９を昇降して、前記周面排水口部８を前記上部開口部７と共に高さ調節設定すると共に、前記周面排水口部８を前記下部管10により開閉自在に設ける。
【００５６】
前記周面排水口部８の大きさは、降水量が少なく水田排水部５から排水して河川へと流れ込む水田排水量が許容される量となる大きさであって、降水量が多くなって前記許容される水田排水量を超えた時水田１が増水して貯水される大きさに設定する。
【００５７】
尚、前記周面排水口部８の大きさとは、例えば、上部管９の周面対向位置に２箇所の周面排水口部８を設ける等、複数の周面排水口部８を設けた場合、その総面積を意味する。
【００５８】
また、前記周面排水口部８を取付管６若しくは前記下部管10により閉塞自在に構成したから、周面排水口部８を閉塞するとその上方の限界排水口部７が排水口となる為、この限界排水口部７の高さ調整により水田１の適正水位を調整できこれにより広範囲な水位設定ができることになる実用性に秀れた水田用水位設定装置となる。
【００５９】
また、本体筒部２の高さを、この本体筒部２を取付管６に連設した状態で上部管９を完全に引き出した時に、限界排水口部７が畔11より低くなる高さ且つ周面排水口部８の下部が、年間で最も高くなる水田１の水位位置となる高さに設ける構成としても良い。
【００６０】
これにより、複数の水田１に設けた本体筒部２の各々をダム化可能な状態に設定する際に限界排水口部７の位置が畔11を越える心配をせずに設定できる。即ち、周面排水口部８の水位Ｓをその時期（使用時）における稲の適正水位に合わせるだけの極めて簡単な作業により、本体筒部２をダム化可能な状態に設定できることとなる。
【００６１】
細部について、より具体的に説明する。
【００６２】
また、本実施例では、前記上部管９は、前記限界排水口部７の１８ｃｍ程度下方に後述する限界排水口部７の直径の半分以下の直径の周面排水口部８を設け、前記上端開口部７には半円形状の針金杆の把手杆12Ａが架設され、下端周縁にはストッパー13を一体に設けた合成樹脂製（より具体的にはポリエチレン製）の直径１５ｃｍ程度、長さ３２ｃｍ程度の円筒状パイプに形成されている。具体的には本実施例では、限界排水口部７の直径の１／３以下の直径（５ｃｍ程度）の周面排水口部８を設けることとする。
【００６３】
これによって、把手杆12Ａを引っ張り上げるだけで上部管９の昇降操作が容易に行なえしかも不使用時には倒しておけるから邪魔にならず且つ前記下部管10から抜け出ることが防止されこととなる。
【００６４】
また、上部管９には、外周対向位置に直径４ｃｍ程度のリング状の把手環12Ｂを各々一体且つ水平に設けた断面コ字状の固定環14が昇降自在且つ下方には抜け止め不可に設けられている。
【００６５】
また、前記固定環14は下部管10の上端に嵌着してビス15止めする構成である。
【００６６】
これによって、上部管９は下部管10に連接され、よって、上部管９を引き上げた際に前記ストッパー13が固定環14に当接し、上部管９は下部管10に対し昇降操作しても抜け出ることが防止されることとなる。
【００６７】
しかも、固定環14は、前述のように下部管10にビス15止めしただけの簡単な構成であり、これによって、後述のように所望の上部管９を適宜選択して採用し下部管10に取り付けることが容易に行えることとなる。
【００６８】
また、前記上部管９は、各々の水田１によって異なる畔11の高さに適した高さの異なる上部管９を用意し、各々の水田１の畔11の高さに適した上部管９を採用すると良い。
【００６９】
また、周面排水口部８の大きさが水田１の面積の大小に応じて異なる大きさの上部管９を用意しておくと良い。
【００７０】
尚、この周面排水口部８の大きさが、小さ過ぎると排水量が少ないため水位Ｓは急激に上昇することになり、大き過ぎると排水量が多過ぎて水田１に貯水されずに直ちに排水されてしまうことになる。
【００７１】
また、本実施例では、下部管10は、下方を斜めに形成して下部排水口部４が設けられており、よって、取付管６への連結立設が容易に行われることとなる。
【００７２】
また、下部管10は、合成樹脂製の直径１０〜２０ｃｍ，長さ２０〜４０ｃｍ程度の円筒状パイプに形成されている。具体的には、下部管10は、ポリエチレン製の直径１５ｃｍ程度、長さ３２ｃｍ程度の円筒状パイプに形成されている。
【００７３】
また、本実施例では、この下部管10と上部管９は、ポリエチレン製を採用したから、耐衝撃性，耐薬品性等に優れ、低温（−６０℃）でも割れず、内面は平滑で摩擦抵抗が小さい為、昇降操作が容易に行なえ、しかも壊れ難い優れた水田用水位調節装置となる。
【００７４】
次に、使用方法を説明する。
【００７５】
次のように設定して使用する。
【００７６】
本体筒部２は、把手環12Ｂを両手に把手し、取付管６に押し込むことで水田排水部５に連結立設する。
【００７７】
次に、周面排水口部８の設定を行なう。把手杆12Ａを引っ張り上げ上部管９の上昇操作を行い、周面排水口部８を出現させ、下部管10の把手環12Ｂを両手に把手し、持ち上げ若しくは押し込みすることで周面排水口部８を稲の適正水位に設定する。この周面排水口部８の設定は下部管10の昇降を行なった後上部管９の上昇操作を行なっても良い。
【００７８】
尚、上部管９の上昇操作の際、把手環12Ｂを脚または手で抑えると把手杆12Ａを引っ張り上げて上部管９の位置決めが容易に行える。
【００７９】
また、把手環12Ｂを両手で持つことで下部管10の取付管６への連結立設が容易に行なわれることとなると共に下部管10の昇降も容易に行える。
【００８０】
この時、限界排水部７が畔11より低くなる範囲内で、周面排水口部８をその時期の稲の適正水位に設定すると良い。
【００８１】
設置された水田用水位設定装置は、小雨のうちは周面排水口部８から排水されて水位Ｓは保持され、大雨になり排水しきれなくなると次第に水田１に貯水され水位は上昇し始める。この時、途中で小雨になると水位Ｓは停滞し、貯水能力を保持することができ、更に小雨になると水位Ｓは低下し、貯水効果が回復し、何回でも貯水可能な状態となり、水田１に貯水することができ、河川に排出する排水量を抑制できる。
【００８２】
即ち、稲の生育に適した適正水位に周面排水口部８を設定しておくと、例え突然河川が決壊する恐れがあるような大雨になったとしても特別な対処をせずとも水田１は常にダム化できるように備えられた状態になっていることとなり、雨が止んで時間が経過すれば水位Ｓは元の設定水位に戻る（図４参照）。
【００８３】
次に、河川が決壊する恐れがある大雨が予め予想される際には、次のように行なうこともできる。
【００８４】
予め、限界排水口部７が畔11より少し低い位置になるまで把手杆12Ａを引き上げ上部管９を上昇させておく。即ち、水田１の限界貯水量まで水田１に貯水することが可能となる為、稲に掛る負担は増加するものの水田１のダム化効果は増加する。
【００８５】
次に、水田１に流量の多い用水を貯める際には、次のように行なうと良い。
【００８６】
前記上部管９を下部管10に収納降下させて周面排水口部８が閉塞した状態で限界排水口部７が適正水位になるように下部管10を昇降設定する。
【００８７】
即ち、用水は水田１に流入して、限界排水口部７まで短時間で貯水されると共に余剰の用水は限界排水口部７から確実に排水され、下部排水口部４から水田排水部５を通り排水パイプ18から排水路17を通過して河川へと流れ込み、稲にとって適正水位に保持されることとなる（図８参照）。
【００８８】
従って、流量の多い用水を水田１に貯水したい際や、河川が決壊する恐れのない通常時においては、周面排水口部８を下部管10により閉塞し、周面排水口部８より排水量が多い限界排水口部７を適正水位になるよう設定しておくことで、確実に排水されて水位Ｓは保持されることとなる。
【００８９】
次に、稲が生育し適正水位を変更する時は、次のように行なう。
【００９０】
前述の状態から、把手杆12Ａを持ち上げて上部管９を引き上げ、周面排水口部８を出現せしめて下部管10を降下させて周面排水口部８を適正水位に設定する。即ち、通常使用時から大雨時に備えられた状態と同じ設定をしたこととなる。
【００９１】
次に、稲刈り前の落水期に水田１から水を抜く時には、次のように行なう。
【００９２】
先ず、前記取付管６内に下部管10を収納降下させ周面排水口部８が水田１の田面になるよう上部管９を設定すると、水田１の水は周面排水口部８から排水され、水田１は乾き易くなり、コンバインが水田１に沈むことなく稲刈り作業が行えることとなる（図９参照）。
【００９３】
また、この時、取付管６内に下部管10と上部管９をスライド収納させ限界排水口部７が水田１の田面になるよう設定すると、水田１の水は限界排水口部７から一層短時間で排水されることとなる（図１０参照）。
【００９４】
また、本実施例は、上述のように構成したから、大雨時に水田１をダム化して多量の水が一気に河川に流れ込むことを防ぎ、河川が決壊することを防止して水害の発生を防ぐことができる装置であって、単に雨を貯水する一方ではなく、常時少量の雨水を排水するから、小雨が降っても適宜な水位Ｓに保持でき、また、小雨が降ってもこれを排水して、常に十分な貯水能力が確保され、この排水を超える大雨の時には貯水を行なってダム化機能を発揮し、雨が止んだりまた雨が弱まった時には、この排水によって水位Ｓが低下して貯水能力が時間と共に自動回復し、水田１のダム化の必要が生じる時には、即ち、河川の決壊の危険が生じるような大雨時にはダム化機能が働きだし、十分な貯水能力を温存しておいた水田１に雨水を貯水することができ、しかも河川へ流れ込む排水量が一定排水量以上にならないように制御することにより河川の決壊を防止でき、更に、例え大雨が続いても途中で断続的に降雨量が減少して小雨になれば、その小雨時を利用して水田１の貯水能力を回復でき、また、尚大雨が続き水田１の水位Ｓが限界水位Ｓ１に達し場合には排水されて畔11と水田１を確実に守り、更に、雨が止めば水位Ｓは再び自動的に適宜位置に戻り、稲への負担も極めて軽いものとなる画期的且つ極めて秀れた水田用水位設定装置を提供できることとなる。
【００９５】
また、周面排水口部８を設けた上部管９に下部管10を昇降自在に設けた構成としたから、極めて簡単な構成で上述の効果を発揮できることとなる。
【００９６】
また、本実施例では、大雨時に周面排水口部８から排水可能な最大量の雨水が排水されたとしても河川が決壊することがなく、水害の発生の恐れがない範囲内で、上述した水田１の貯水能力の保持及び回復機能が良好に発揮されることとなる極めて画期的な水田用水位設定装置となる。即ち、周面排水口部８の大きさを、本実施例では直径５ｃｍ程度の孔としたことで、よって、増水した水田１の水は、周面排水口部８から排水可能な最大量の雨水しか排水されないから、排水される水の量を制限できることとなり、大量の水が一気に排出され河川に流れ込むことを防ぐことが可能となる。
【００９７】
また、排水される水の量を制限できるから、降雨量が周面排水口部８から排水可能な雨水の量より少ない時には、降った雨水は周面排水口部８から絶えず排水されて河川に流れ込むこととなり、従って、雨水で増水する水田１の水は前記周面排水口部８より排水されて水田１の水位Ｓは保持される（図４参照）こととなる。
【００９８】
即ち、河川の決壊の心配がない小雨時には、ダム化の機能は働かず、水田１の貯水能力は低下することなく保持されると共に、その時期の適正な水位Ｓを保てる為稲にとっても負担が軽いこととなる。
【００９９】
しかしながら、水田１のダム化の必要が生じるような大雨の時、即ち、河川の決壊の危険が生じるような大雨の時には、即ち、降雨量が周面排水口部８から排水可能な量を超えるとダム化機能が働き始め、排水量を超えた降雨量が水田１に貯水され水位Ｓが上昇することとなる。
【０１００】
即ち、雨水による水田１の増水量が前記周面排水口部８からの排水量を超えると初めて水田１の水位Ｓが上昇して、前記限界排水口部７より排水される限界水位Ｓ１に達するまでの増水量が水田１に貯水されることとなる（図５参照）。
【０１０１】
即ち、本発明の水田用水位設定装置は、河川の決壊の恐れがあるような大雨の時に初めてダム化機能が働き始めることとなる、極めて秀れたダム化システムとなる。
【０１０２】
更に、このような大雨時においても、水田１に貯水される雨水の量は、従来品の様に水田１に降った量がそのまま貯水される訳ではなく、水田１の雨水は周面排水口部８から絶えず排水されているから降水量と排水量との差だけ貯水されることとなるため、従来品と比し水位Ｓが急激に上昇することはない（図５参照）。
【０１０３】
その上、大雨が続いた場合において、大雨の途中で断続的に雨脚が弱まり、降水量が周面排水口部８から排水可能な雨水量と等しくなれば、水位Ｓは停滞して貯水能力を維持できることとなり、更に、雨脚が弱まれば降水量が周面排水口部８から排水可能な雨水量より低下することとなり、水位Ｓは自動で低下して、この水位Ｓが低下した分だけ水田１の貯水能力は自動で回復することとなる。即ち、断続的に雨脚が弱まれば、水田１の貯水能力はその都度回復することとなる（図５参照）。
【０１０４】
即ち、大雨時においても、途中で小雨になると前述の水位Ｓの停滞により貯水能力を保持することができ、また、水位Ｓの低下を起こすことで貯水能力の回復は繰り返し行われることとなり、何回でも貯水可能な状態となる。よって、一度限界貯水量まで貯水してしまうと貯水効果は限界に達して貯水能力が回復できない従来品に比して、貯水能力の回復が繰り返し行なわれることで水田１に貯水される総貯水量は何倍にもなることとなり、更に、河川が決壊する恐れのある流域より上流域一帯の水田１で一斉に本発明を用いてダム化を行えばその効果は計り知れないものとなる。
【０１０５】
また、本実施例では、許容範囲内で限界排水口部７と周面排水口部８との高さの差を大きくすることにより、一層高い貯水能力を提供できる極めて実用性に秀れた水田用水位設定装置となる。
【０１０６】
また、本実施例では、取付管６に対して前記本体筒部２を昇降させて若しくは本体筒部２に設けた可動管９を昇降させることで容易に水田１の限界貯水量を調整することができる極めて秀れた水田用水位設定装置となる。しかも、ダム化の必要が生じた時、即ち、河川の決壊の危険が生じるような大雨の時には、ダム化機能が働き始め、小雨時にはダム化機能が働かずに十分な貯水能力を温存した水田１に雨水を貯水できることとなる。
【０１０７】
即ち、本実施例では、上部管９を直径１５ｃｍ程度、長さ３２ｃｍ程度の円筒状パイプの上端開口部７から１８ｃｍ程度下方に周面排水口部８を設けたことで、河川の決壊の危険が生じるような大雨の時には、ダム化機能が働き始め、水田１一面に周面排水部８位置から１８ｃｍの高さ分の貯水量を貯水できることとなる。
【０１０８】
また、本実施例では、簡単な構成で本発明を実現でき、簡単な操作で水位設定を行える極めて実用性に秀れた水田用水位設定装置となる。また、収納できるので、販売運搬時に嵩張らないこととなり、運搬性能が良くなる。
【０１０９】
即ち、本体筒部２を水田排水部５に連結する取付管６に連結し（図３，図４参照）、この本体筒部２を取付管６に対して昇降自在若しくは本体筒部２を前記取付管６に対して昇降自在となる可動管９を有する構成としたから、前記本体筒部２若しくは前記可動管９を昇降させるだけで、本体筒部２の上部に設けた限界排水部７（上部排水口部３）の位置や上部開口部７より下方の周面に設けた限界排水部７より小さい周面排水口部８（上部排水口部３）の位置を容易に変化させることができ、しかも所望位置に設定することが極めて容易な操作で行えることとなる。
【０１１０】
また、本実施例では、前記限界排水口部７を、本体筒部２の直径１５ｃｍ程度の円筒状の上端開口部７とした簡単な構造で限界排水口部７を設けることができることとなる。
【０１１１】
また、本実施例では、前記周面排水口部８を取付管６若しくは前記下部管10により閉塞自在に構成したから、周面排水口部８を閉塞するとその上方の限界排水口部７が排水口となる為、この限界排水口部７の高さ調整により水田１の適正水位を調整できこれにより広範囲な水位設定ができることになる実用性に秀れた水田用水位設定装置となる。また、周面排水口部８より大きくなるから、短時間に水田１から排水させることができることとなる（図１０参照）。
【実施例２】
【０１１２】
本発明の具体的な実施例２について説明する。
【０１１３】
本体筒部２を取付管６に対して昇降自在とする。
【０１１４】
また、取付管６に対して、前記本体筒部２を昇降させて前記上部開口部７の高さを調整設定することによって、前記水田１の限界貯水量を調整設定自在に設ける。
【０１１５】
また、前記本体筒部２を前記取付管６に昇降自在に嵌合し、前記周面排水口部８を前記限界排水部７と共に高さ調整すると共に、前記周面排水部を前記取付管6により開閉自在に設ける。
【０１１６】
本実施例は、上述のように構成したから、実施例１に比し、より簡単に本発明の水田用水位設定装置を製造でき、またより簡単に水位設定できる。
【０１１７】
その余は、実施例１と同じである。
【０１１８】
尚、本発明は、実施例１，２に限られるものではなく、各構成要件の具体的構成は適宜設計し得るものである。
【図面の簡単な説明】
【０１１９】
【図１】実施例１の排水筒部２の斜視図である。
【図２】実施例１の排水筒部２の要部の断面図である。
【図３】実施例１の水田用水位設定装置を水田１に設置した状態の説明断面図である。
【図４】実施例１の周面排水口部８を適正な水位Ｓに設定した説明図である。
【図５】実施例１の周面排水口部８を超えて水位Ｓが上昇する時の説明図である（限界排水口部７から水位Ｓが降下する時の説明図）。
【図６】実施例１の限界排水口部７を超えて増水した時の説明図である。
【図７】実施例１の限界排水口部７に限界水位Ｓ１が達した時の説明図である。
【図８】実施例１の周面排水口部８を閉塞して限界排水口部７に限界水位Ｓ１を設定した状態の説明図である。
【図９】実施例１の周面排水口部８を水田１の田面に設定して水田１から排水する状態の説明図である。
【図１０】実施例１の限界排水口部７を水田１の田面に設定して水田１から排水する状態の説明図である。
【符号の説明】
【０１２０】
１  水田
２  本体筒部
３  上部排水口部
４  下部排水口部
５  水田排水部
６  取付管
７  限界排水口部（上端開口部）
８  周面排水口部
９  可動管（上部管）
10  下部管
Ｓ  水位
Ｓ１  限界水位
【図１】
2010022324.tif 000003
【図２】
2010022324.tif 000004
【図３】
2010022324.tif 000005
【図４】
2010022324.tif 000006
【図５】
2010022324.tif 000007
【図６】
2010022324.tif 000008
【図７】
2010022324.tif 000009
【図８】
2010022324.tif 000010
【図９】
2010022324.tif 000011
【図１０】
2010022324.tif 000012